(57)【特許請求の範囲】
【請求項１】
本体の内部に設けられた水槽と、前記水槽の内部に設けられた洗濯槽と、前記洗濯槽に給水する注水装置と、洗い工程、すすぎ工程、脱水工程などの一連の洗濯運転を実行する制御装置と、を備え、前記注水装置は、運転開始前に使用者が洗濯助成剤を投入する収容ケースと、前部に開口を有して一体で成形され前記収容ケースを出し入れ自在に保持する注水ケースと、を有し、
前記収容ケースは、洗濯助成剤を保持する収容部と、前記収容部の少なくとも左右に溝を有し、
前記少なくとも左右の溝には、前記収容ケースに流入して溢れる水を落下させる通し孔を有する、
洗濯機。
【請求項２】
前記注水装置は、
前記注水ケースの内部に配設され流路を形成する整流部と、
前記整流部に連通する第１の給水弁と、
前記注水ケースに設けられ前記収容ケースに注水する注水部と、
前記注水部に連通する第２の給水弁と、を有し、
前記注水ケースは一体で成形された、
請求項１記載の洗濯機。
【発明の詳細な説明】
【技術分野】
【０００１】
本発明は、洗剤や柔軟剤などの洗濯助成剤を給水とともに洗濯槽に投入する注水装置を備える洗濯機に関する。
【背景技術】
【０００２】
従来の洗濯機は、使用者が洗濯運転を開始する前に洗剤を投入する洗剤ケースを収容し、水道などに連結して給水される注水ケースを有する注水装置を備える。（例えば、特許文献１参照）。図９と図１０を用いて従来の洗濯機の注水装置について説明する。
【０００３】
図９は、従来の洗濯機の側面断面図である。図９に示されるように、洗濯機は、本体１０１の内部に水槽１０２を有している。水槽１０２の内部には、洗濯槽１０３が配設されている。洗濯槽１０３は、側壁に多数の通水孔１０３ｂを有し、底部に洗濯物を撹拌するパルセータ１０４を有している。洗濯槽１０３は、脱水工程では高速に回転する脱水槽としても機能する。本体１０１の下部にモータ１０５が配設されている。モータ１０５は、伝達機構１０６を介して洗濯槽１０３とパルセータ１０４を回転させる。
【０００４】
本体１０１は、上部に上部枠体１０７を有している。上部枠体１０７は、使用者により洗濯物が出し入れされる開口を中央に有し、その開口を開閉する蓋１０８を備える。上部枠体１０７は、洗い工程、すすぎ工程、脱水工程などの一連の洗濯運転を実行する制御装置１０９と、使用者が洗濯運転の設定を行う操作表示部１０９ａとを前部に有し、洗濯槽１０３に給水する注水装置１１０を後部に有する。
【０００５】
図１０は、従来の洗濯機の注水装置の分解斜視図である。注水装置１１０は、上部枠体１０７の後部の下面を覆う下面カバー１１１の中央に形成されている。注水装置１１０の両側には、図示しない振動検知装置などの電気部品が配設される。注水装置１１０は、運転開始前に使用者により洗剤を投入される洗剤ケース１１２と、水道との接続口１１３ａを有する給水弁１１３と、洗剤ケース１１２を保持するとともに注水経路を有する注水ケース１１４とを備えている。注水ケース１１４は、前部に開口を有し、洗剤ケース１１２を前後に出し入れ自在に保持する。また、注水ケース１１４は、注水装置１１０の下部を構成する下部注水部１１４ａと、上部を覆う上部注水部１１４ｂとからなる。下部注水部１１４ａは、注水孔を有する底面壁１１４ｃと、洗濯槽１０３に水道水だけを給水する上部給水口１１５ａと、洗剤を混合した水道水を給水する下部給水口１１５ｂなどを有する。そして、下部注水部１１４ａと上部注水部１１４ｂとは、溶着により固定され、給水弁１１３から連通する注水経路を形成している。
【０００６】
これらの構成により、制御装置１０９は、使用者の洗濯運転の設定に基づいて、給水弁１１３を開閉する。このとき、洗い工程において、水道水は、上部給水口１１５ａから洗濯槽に給水されるとともに、洗剤ケース１１２に流入して洗剤を混合しながら下部給水口１１５ｂから洗濯槽に給水される。そして、すすぎ工程において、水道水は、上部給水口１１５ａから洗濯槽に給水されるとともに、洗剤ケース１１２の洗剤は既に流出しているので、下部給水口１１５ｂからも水道水だけが洗濯槽に給水される。
【０００７】
また、図１１は、他の従来の洗濯機の注水装置の斜視図である（例えば、特許文献２参照）。注水装置１２１は、液体洗剤、リンス剤、仕上げ剤などの洗濯助成剤１２２を投入する助成剤投入部１２３を有する助成剤ケース１２４を引き出し可能に収納し、流水口１２５より助成剤ケース１２４を通して洗濯槽内に注水する。注水装置１２１には、助成剤ケース１２４に注水する注水口１２６が配設され、助成剤ケース１２４は引き出し側に隙
間１２７が設けられている。この構成により、注水装置１２１は、注水速度がはやい場合には隙間１２７から流水口１２５に洗濯助成剤１２２を含む助成液を前側に溢れさせて、助成剤ケース１２４の左右や後側に溢れるのを防止し、助成液で汚れるのを防止しながら、洗濯助成剤１２２を洗濯槽に給水できる。
【先行技術文献】
【特許文献】
【０００８】
【特許文献１】特開２０１４−０３３８３７号公報
【特許文献２】特開平１１−０４２３９２号公報
【発明の概要】
【発明が解決しようとする課題】
【０００９】
しかしながら、特許文献２に記載された従来の洗濯機の注水装置の構成では、助成剤ケースから溢れた助成液が注水装置の前端で流水口に不規則に落下するため、水が洗濯槽の外に飛散するという問題があった。
【００１０】
本発明は、前記従来の課題を解決するもので、洗濯助成剤が投入される収容ケースから溢れる水が注水装置の奥の方で落下し、不規則な落下で水が飛散することを防止した洗濯機を提供することを目的とする。
【課題を解決するための手段】
【００１１】
前記従来の課題を解決するために、本発明の洗濯機は、本体の内部に設けられた水槽と、前記水槽の内部に設けられた洗濯槽と、前記洗濯槽に給水する注水装置と、洗い工程、すすぎ工程、脱水工程などの一連の洗濯運転を実行する制御装置と、を備え、前記注水装置は、運転開始前に使用者が洗剤または柔軟剤を投入する収容ケースと、前部に開口を有して一体で成形され前記収容ケースを出し入れ自在に保持する注水ケースと、を有し、前
記収容ケースは、洗濯助成剤を保持する収容部と、前記収容部の少なくとも左右に溝を有し、前記少なくとも左右の溝には、前記収容ケースに流入して溢れる水を落下させる通し孔を有するものである。
【００１２】
これによって、注水装置は、注水ケースの通し孔が左右に設けられているため、溢れた水は奥の方で流水面に落下し、本来の水流に合流して１つの水流でスムーズに洗濯槽に給水され、不規則な落下で水が飛散したりすることがない。
【発明の効果】
【００１３】
本発明の洗濯機は、注水装置の収容ケースから溢れる水が注水装置の奥の方で落下し、不規則な落下で水が飛散することを防止することができる。
【図面の簡単な説明】
【００１４】
【図１】本発明の実施の形態１における洗濯機の側面断面図
【図２】本実施の形態における洗濯機の要部側面断面図
【図３】本実施の形態における洗濯機の注水装置の分解斜視図
【図４】（ａ）本実施の形態における洗濯機の収容ケースの平面図（ｂ）カバーを取り去った収容ケースの平面図
【図５】本実施の形態における洗濯機の収容ケースの側面断面図
【図６】本実施の形態における洗濯機の収容ケースの正面断面図
【図７】本実施の形態における洗濯機の注水装置の正面断面図
【図８】本実施の形態における洗濯機の整流部の裏向きの斜視図
【図９】従来の洗濯機の要部断面図
【図１０】従来の洗濯機の注水装置の分解斜視図
【図１１】他の従来の洗濯機の注水装置の斜視図
【発明を実施するための形態】
【００１５】
第１の発明の洗濯機は、本体の内部に設けられた水槽と、前記水槽の内部に設けられた洗濯槽と、前記洗濯槽に給水する注水装置と、洗い工程、すすぎ工程、脱水工程などの一連の洗濯運転を実行する制御装置と、を備え、前記注水装置は、運転開始前に使用者が洗濯助成剤を投入する収容ケースと、前部に開口を有して一体で成形され前記収容ケースを出し入れ自在に保持する注水ケースと、を有し、前記収容ケースは、洗濯助成剤を保持する収容部と、前記収容部の少なくとも左右に溝を有し、前記少なくとも左右の溝には、前記収容ケースに流入して溢れる水を落下させる通し孔を有するものである。
【００１６】
これによって、注水装置は、注水ケースの通し孔が左右に設けられているため、溢れた水は奥の方で流水面に落下し、本来の水流に合流して１つの水流でスムーズに洗濯槽に給水され、不規則な落下で水が飛散することを防止することができる。
【００１７】
また、溢れた水が収容ケースの外側まで達して洗濯助成剤で汚すことがない。
【００１８】
第２の発明は、特に第１の発明において、前記注水装置は、前記注水ケースの内部に配設され流路を形成する整流部と、前記整流部に連通する第１の給水弁と、前記注水ケースに設けられ前記収容ケースに注水する注水部と、前記注水部に連通する第２の給水弁と、を有し、前記注水ケースは一体で成形されたものである。これによって、注水装置は、溶着などの接着による固定方法を用いずに一体に形成された注水ケースを有するため、注水装置からの水漏れによる動作不良などの発生を防止し、洗濯機の信頼性を向上することができる。また、注水ケースの溶着などの接着工程および漏れ検査工程を必要としない合理的な製造工程とすることができる。
【００１９】
以下、本発明の実施の形態について、図面を参照しながら説明する。また、この実施の形態によって本発明が限定されるものではない。
【００２０】
（実施の形態１）
図１は、本発明の実施の形態１における洗濯機の側面断面図である。図１に示されるように、洗濯機は、本体１１の内部に水槽１３を有している。水槽１３は、防振のためにサスペンション１２により懸垂して支持されている。水槽１３の内部には、洗濯槽１５が配設されている。洗濯槽１５は、脱水槽を兼用したもので、側壁に多数の通水孔１６を有するとともに、上部に流体バランサ１７が配設され、中央の底部にはパルセータ１８が配設されている。回転軸１４は、洗濯槽１５またはパルセータ１８をそれぞれ回転させるために中空で２軸構造になっており、伝達機構１９を備えている。伝達機構１９は内部に洗濯時の減速ギア（図示せず）および回転軸１４の切り換えクラッチ（図示せず）と、脱水時に洗濯槽１５を停止するためのブレーキ（図示せず）を内蔵している。
【００２１】
モータ２０は水槽１３の底部に取り付けられている。モータ２０はモータ側プーリ２１を有し、伝達機構１９のメカ側プーリ２２にベルト２３を介して動力を伝達して回転軸１４を回転させる。
【００２２】
本体１１は、上部に上部枠体２４を有している。上部枠体２４は、使用者により洗濯物が出し入れされる開口部２５を有し、開口部２５は蓋体２６にて開閉自在に覆われている。上部枠体２４は、モータ２０などの電装部を制御して洗い工程、すすぎ工程、脱水工程などの一連の洗濯運転を実行する制御装置３６が後部に配設され、制御装置３６の上部に操作表示部３７が配設されている。
【００２３】
図２は、本実施の形態における洗濯機の要部断面図である。図３は、本実施の形態における洗濯機の注水装置の分解斜視図である。上部枠体２４は、後部の下面を覆う下面カバー３８を備えている。下面カバー３８は、中央に注水装置３９を構成するための注水ケース３１が形成され、その両側には洗濯物のアンバランスを検知する振動検知装置などの電装部品（図示せず）が取り付けられるボスなどが形成され、上部枠体２４の下方から取り付けられている。
【００２４】
注水装置３９は、開口部２５の後部に位置するように設けられ、水道に接続できるように構成されている。注水装置３９は、下面カバー３８に形成された注水ケース３１の内部に運転開始前に使用者により洗濯助成剤を投入される収容ケース２９を備えている。注水ケース３１は、前部に開口を有し、収容ケース２９を前後に出し入れ自在に保持する。また、注水ケース３１は、底面を後方から前方にかけて下方傾斜するとともに、左右から中央にかけて下方に傾斜した流水面３５が形成されている。なお、洗濯助成剤としては、洗い工程で投入される洗剤のほか、すすぎ工程で投入される柔軟剤や仕上げ剤などがある。本実施の形態では、すすぎ工程においてすすぎ用の洗濯助成剤が使用されるものとして説明する。
【００２５】
図４は、本実施の形態における洗濯機の収容ケースの平面図で、図４（ａ）は収容ケースの通常の状態で、図４（ｂ）は収容ケースからカバーを取り去った状態である。図５は、収容ケースの側面断面図で、図６は、収容ケースの正面断面図である。収容ケース２９は、前部に取っ手２９ａを有し、中央に向かって窪んだ洗濯助成剤を保持する収容部２９ｂを有し、収容部２９ｂの底部に縦方向に貫通口を有する筒状の第１のボス２９ｃを有している。第１のボス２９ｃは、周囲に縦方向のリブ２９ｄを有している。
【００２６】
また、収容ケース２９は、収容部２９ｂを覆うとともに、使用者が洗濯助成剤を投入する位置の目安となる投入部４３ａを有するカバー４３を備える。カバー４３は、投入部４３ａの後部の下面に第２のボス４３ｂを有する。第２のボス４３ｂは第１のボス２９ｃにリブ２９ｄを介して嵌合する。これにより、カバー４３は第２のボス４３ｂの内側の上端と下端とに隙間Ｓ１と隙間Ｓ２を有した状態で第１のボス２９ｃと収容部２９ｂの周壁２９ｅによって支持される。この第１のボス２９ｃと第２のボス４３ｂとの隙間Ｓ１、Ｓ２と第１のボス２９ｃの貫通口により、洗濯助成剤を含む水が排出されるサイフォン流路４４が形成される。
【００２７】
さらに、溝２９ｆが収容部２９ｂの前部と左右の外側に形成されている。左右の溝２９ｆの底には流水面３５に開放される通し孔２９ｇが設けられている。また、収容ケース２９の後壁２９ｈは、収容部２９ｂの底面にかけて滑らかな円弧に形成された傾斜を有している。
【００２８】
図７は、本実施の形態における洗濯機の注水装置の正面断面図である。図３および図７に示されるように、注水ケース３１は、後側の上部に３つの注水部が形成される。このうち、第１の注水部３１ａは第１の給水弁２８ａを備え、第２の注水部３１ｂは第２の給水弁２８ｂを備え、第３の注水部３１ｃは第３の給水弁２８ｃを備えている。第１の給水弁２８ａと第２の給水弁２８ｂは、常温の水道水が給水されるように水道（図示せず）に接続される。第３の給水弁２８ｃは、温水が給水されるように給湯器（図示せず）に接続される。なお、本実施の形態では、第１の給水弁２８ａと第２の給水弁２８ｂとは、一体に構成された２連給水弁が使用されている。また、給湯器がなければ、第３の給水弁２８ｃへの接続は行われなくてもよい。
【００２９】
図８は、本実施の形態における洗濯機の整流部の裏向きの斜視図である。第１の注水部
３１ａと第３の注水部３１ｃとは注水ケース３１の内側の底部まで延びており、底部近くでお互いに向き合うように開口３２を有する。そして、整流部４２が、注水ケース３１の底部の後側で最奥に、この向き合う開口３２の間に配設されている。図８に示されるように、整流部４２は、開口３２とそれぞれ連通する入口部４２ａを左右端に有し、中央に形成された仕切部４２ｂを挟んで両側の実質的な中央に出口部４２ｃを有する。また、整流部４２は、入口部４２ａと出口部４２ｃとの間の内側に水が蛇行して流れるように複数のリブ４２ｄを有している。図７に示されるように、整流部４２は、注水ケース３１と組み合わされることで、第１の注水部３１ａおよび第３の注水部３１ｃからそれぞれ９０度方向転換して注水ケース３１の中央へ向かう２つの流路を形成する。
【００３０】
また、図２に示されるように、第２の注水部３１ｂは、収容ケース２９が注水ケース３１に収納されている状態で、収容ケース２９の後壁２９ｈの真上に設けられている。本実施の形態では、第２の注水部３１ｂの穴面積のほぼ半分が収容ケース２９に重なる構成となっている。さらに、後壁２９ｈは、整流部４２に近接するが、整流部４２は、後壁２９ｈの傾斜に沿った壁面形状を備え、後壁２９ｈと所定の寸法を有する隙間Ｓ３を形成している。
【００３１】
以上のように構成された注水装置３９において、水が流れる流路を説明する。
【００３２】
まず、図７および図８において矢印Ａで示されるように、前方から見て注水ケース３１の右側に配設された第１の給水弁２８ａから流入した水は、第１の注水部３１ａを通過し、右側底部の開口３２ａから整流部４２の右側の入口部４２ａへ流入し、整流部４２の右側の流路を通過して右側の出口部４２ｃに到達する。
【００３３】
また、矢印Ｃで示されるように、前方から見て注水ケース３１の左側に配設された第３の給水弁２８ｃから流入した水（温水）は、第３の注水部３１ｃを通過し、左側底部の開口３２ｂから整流部４２の左側の入口部４２ａへ流入し、整流部４２の左側の流路を通過して左側の出口部４２ｃに到達する。
【００３４】
このようにして、整流部４２の出口部４２ｃに到達した水は、整流部４２の内側に形成されたリブ４２ｄによって蛇行して給水圧が低減され、水流の勢いが抑制される。これによって、注水ケース３１の流水面３５の実質的な中央に流れ出て、流水面３５をスムーズに流れて前端３５ａから洗濯槽１５に給水され、洗濯槽１５の外に水を飛散させることもない。
【００３５】
つぎに、図２および図７において矢印Ｂで示されるように、第１の給水弁２８ａに隣接した第２の給水弁２８ｂから流入した水は、第２の注水部３１ｂを通過する。すると、直下に収容ケース２９の後壁２９ｈが位置しており、後壁２９ｈによって矢印Ｂ１および矢印Ｂ２で示される２方向の水流に分流される。そのうち矢印Ｂ１で示される水流は、図７に示されるように、収容ケース２９の外側に流れて左右に広がる。しかし、隙間Ｓ３によってスムーズな流れに整えられ、注水ケース３１の流水面３５に流れ出て、流水面３５の前端３５ａから洗濯槽１５に給水される。
【００３６】
また、他の矢印Ｂ２で示される水流は、図２、図５および図６において示されるように、後壁２９ｈの傾斜に沿って収容ケース２９の収容部２９ｂへ流入する。そして、この水流は、収容部２９ｂで渦巻くようにして運転開始前に投入された洗濯助成剤を混合しながら、サイフォン流路４４を通過し、収容ケース２９から流水面３５へ流出する。このとき、収容ケース２９への注水が停止された場合、収容ケース２９に残る水は、サイフォン流路４４のサイフォン効果により吸引され、ほとんど全てが流出する。これにより、投入された洗濯助成剤もほとんど全てが流出する。そして、収容ケース２９から流水面３５へ流
出した水は、矢印Ｂ１で示される収容ケース２９の外側の水流に合流し、流水面３５の前端から洗濯槽１５に給水される。
【００３７】
このように、収容ケース２９に注水されるのは矢印Ｂ２で示される第２の注水部３１ｂからの水流だけである。そして、第２の注水部３１ｂは、供給される水の一部のみを収容ケース２９に注水するように設けられている。これによって、収容部２９ｂに注水される水の量が制限されるとともに水流の勢いが抑制され、収容ケース２９から洗濯助成剤が溢れないようにすることができる。また、第２の注水部３１ｂは、収容ケース２９の後壁２９ｈに上方から注水するように設けられ、収容ケース２９は、第２の注水部３１ｂからの注水を受ける後壁２９ｈを傾斜して形成されている。これによって、注水された水が収容ケース２９の後壁２９ｈの傾斜によりスムーズな水流として洗濯助成剤を撹拌し、収容ケース２９に残留することを防止することができる。
【００３８】
なお、収容ケース２９に洗濯助成剤が許容量以上に投入されていたり、水道の水圧が強くて収容部２９ｂに注水される水の量が想定されるより多かったりした場合には、投入部４３ａから水位が上昇してカバー４３から溢れることがある。溢れた水は、溝２９ｆに流れ込み、溝２９ｆによって左右に設けられた通し孔２９ｇに導かれて流水面３５に落下する。これによって、溢れた水が収容ケース２９の外側まで達して洗濯助成剤で汚すことはない。また、本実施の形態では、通し孔２９ｇが左右の溝２９ｆに設けられているため、溢れた水は奥の方で流水面３５に落下する。溢れた水は不規則に落下するが、この構成によって、後壁２９ｈの後側からの水流とサイフォン流路４４からの水流との本来の水流に合流して１つの水流でスムーズに給水され、不規則な落下で水が飛散したりすることがない。
【００３９】
以上のように構成された洗濯機について、その動作と作用を説明する。
【００４０】
使用者は、蓋体２６を開放し、洗おうとする洗濯物を洗濯槽１５に投入する。そして、注水装置３９の収容ケース２９を注水ケース３１から引き出し、投入部４３ａに所定量の洗濯助成剤を投入した後、収容ケース２９を注水ケース３１に収納する。また、所定量の洗剤を所定位置に投入する。使用者は、操作表示部３７に設けられたスタートスイッチにより洗濯運転を開始する。
【００４１】
これにより、制御装置３６は、洗い工程を開始する。はじめに、第１の給水弁２８ａまたは温水が使用される場合には第３の給水弁２８ｃが開成され、第１の注水部３１ａまたは第３の注水部３１ｃから注水ケース３１に水が流れ込む。注水ケース３１に流れ込んだ水は、整流部４２で給水圧を低減されるとともに整流されて流水面３５へ流出する。このとき、給水圧は低減されているため、給水圧による洗濯槽１５の外への水の飛散などはなく、水流の見栄えもよい。制御装置３６は、所定の水位に達すると第１の給水弁２８ａまたは第３の給水弁２８ｃを閉成して給水を停止し、モータ２０を駆動してパルセータ１８を回転させて洗い工程を行う。
【００４２】
制御装置３６は、洗い工程を終了すると、汚れた洗濯水を排水し、中間脱水を行い、すすぎ工程を開始する。すすぎ工程では、第２の給水弁２８ｂが開成され、洗濯助成剤が投入された収容ケース２９に第２の注水部３１ｂを通過する水のおおよそ半分の流量が流れ込む。そして、注水ケース３１に流れ込んだ水と、収容ケース２９に流れ込んだ水とは、上記したように、流水面３５で合流して洗濯槽１５に供給される。制御装置３６は、所定の水位に達すると第２の給水弁２８ｂを閉成して給水を停止し、モータ２０を駆動してパルセータ１８を回転させてすすぎ工程を行う。
【００４３】
制御装置３６は、すすぎ工程を終了すると、すすぎ水を排水し、脱水工程を開始する。
そして、所定時間が経過すれば、脱水工程を終了し、一連の洗濯運転を終了する。
【００４４】
以上説明したとおり、本発明の洗濯機は、注水装置３９として、運転開始前に使用者が洗濯助成剤を投入する収容ケース２９と、前部に開口を有して一体で成形され収容ケース２９を出し入れ自在に保持する注水ケース３１と、注水ケース３１の内部に配設され流路を形成する整流部４２と、整流部４２に連通する第１の給水弁２８ａと、注水ケース３１に設けられ収容ケース２９に注水する第２の注水部３１ｂと、第２の注水部３１ｂに連通する第２の給水弁２８ｂと、を有するものである。これによって、注水装置３９は、溶着などの接着による固定方法を用いずに一体に形成された注水ケース３１を有するため、注水装置３９からの水漏れによる動作不良などの発生を防止し、洗濯機の信頼性を向上することができる。また、注水ケース３１の溶着などの接着工程および漏れ検査工程を必要としない合理的な製造工程とすることができる。
【００４５】
また、第１の注水部３１ａは、収容ケース２９の後側で少なくとも左側または右側のいずれかから注水するように設けられ、整流部４２は、収容ケース２９の底部の後側に設けられるとともに、収容ケース２９の実質的な中央に出口部４２ｃを形成されたものである。これによって、整流部４２の出口部４２ｃに到達した水は、注水ケース３１の流水面３５の実質的な中央に流れ出て、流水面３５をスムーズに流れて洗濯槽１５に給水され、洗濯槽１５の外に水が飛散することを防止することができる。
【００４６】
また、第２の注水部３１ｂは、供給される水の一部のみを収容ケース２９に注水するように設けられたものである。これによって、注水される水の量を制限するとともに水流の勢いを抑制し、収容ケース２９から洗濯助成剤が溢れないようにすることができる。
【００４７】
また、第２の注水部３１ｂは、収容ケース２９の後端に上方から注水するように設けられ、収容ケースは、第２の注水部３１ｂからの注水を受ける後壁２９ｈを傾斜して形成されたものである。これによって、注水された水が後壁２９ｈの傾斜によりスムーズな水流として洗濯助成剤を撹拌し、収容ケース２９に残留することを防止することができる。
【００４８】
また、整流部４２は、内側にリブ４２ｄを有するものである。これによって、給水時の給水圧をリブ４２ｄにより低減させ、洗濯槽１５へ給水される水流を整えて水の飛散を防止することができる。
【００４９】
また、収容ケース２９は、収容ケース２９に流入して溢れる水を落下させる通し孔２９ｇを左右に有するものである。これによって、溢れた水は奥の方で本来の水流に合流して１つの水流でスムーズに洗濯槽１５に給水される。
【００５０】
なお、本実施の形態では、洗濯機として水槽の内部に、洗いと脱水を兼用する洗濯槽とパルセータを備えたもので説明したが、本発明の適用はこれに限られるものではなく、例えば、脱水槽を別に有し、固定された洗濯槽にパルセータを備えた２槽式洗濯機や、洗濯槽が水平または傾斜した回転軸で回転するドラム式洗濯機にも適用できる。
【００５１】
また、すすぎ用の洗濯助成剤が収容ケースに投入され、洗い工程で第１の注水部から給水され、すすぎ工程で第２の注水部から給水される構成としたが、すすぎ工程と洗い工程とを入れ替えて、洗い用の洗濯助成剤が収容ケースに投入され、洗い工程で第２の注水部から給水され、すすぎ工程で第１の注水部から給水される構成としてもよい。この場合、すすぎ用の洗濯助成剤は洗濯槽に設けられた柔軟剤用ケースですすぎ工程で投入されるように構成することができる。
【００５２】
また、すすぎ工程での給水が第２の給水弁だけで行われ、収容ケースへの注水量が後壁
で調整されるようにしたが、第２の給水弁の流量を小さなものとして全ての流量が収容ケースに流入し、同時に第１の給水弁が開成されるようにしてもよい。
【００５３】
また、複数の給水弁は、それぞれに対応した注水部に直接的に取り付けられる構成としたが、パイプやホースなどの連通管で注水部と接続され、注水部とは離れた位置に固定されてもよい。
【００５４】
また、複数の注水部は上方から注水される構成としたが、第１の注水部と第３の注水部は、後方や側方から注水される構成でもよい。また、第１の注水部に、第１の給水弁と第３の給水弁とが並列に接続されて、第３の注水部が省略されてもよい。
【００５５】
また、収容ケースの後壁は、底面にかけて滑らかな円弧に形成された傾斜としたが、これに限られるものではなく、１つの平面や複数の平面を組み合わせて傾斜が形成されてもよい。また、整流部は、内側にリブを有するものとしたが、これに限られるものではなく、流路の断面積や長さにより水流の勢いを抑制するような形状であればよい。
【００５６】
また、溢れる水を落下させる通し孔は、なるべく流水面の奥側に位置するように形成されることが望ましい。また、通し孔が設けられる溝は、収容部の前部から左右へ連通していてもよいし、前部は障壁などで溢れないようにして、左右だけに形成されてもよい。
【００５７】
また、第３の給水弁と第３の注水部は、温水を使用する場合のものであり、省略することができる。
【産業上の利用可能性】
【００５８】
以上のように、本発明の洗濯機は、接着による固定方法を用いない一体に形成した注水ケースを有する注水装置として、給水時の水漏れを防止して信頼性を向上し、水槽への注水をスムーズにして水の飛散を防止できる洗濯機として有用である。
【符号の説明】
【００５９】
１１  本体
１３  水槽
１５  洗濯槽
２８  給水弁
２８ａ  第１の給水弁
２８ｂ  第２の給水弁
２８ｃ  第３の給水弁
２９  収容ケース
２９ａ  取っ手
２９ｂ  収容部
２９ｃ  ボス
２９ｄ  リブ
２９ｅ  周壁
２９ｆ  溝
２９ｇ  通し孔
２９ｈ  後壁
３１  注水ケース
３１ａ  第１の注水部
３１ｂ  第２の注水部
３１ｃ  第３の注水部
３６  制御装置
３８  下面カバー
３９  注水装置
４２  整流部
４２ａ  入口部
４２ｂ  仕切部
４２ｃ  出口部
４２ｄ  リブ
４３  カバー
４３ａ  投入部
４３ｂ  ボス
４４  サイフォン流路
【図１】
0006311124.tif 000002
【図２】
0006311124.tif 000003
【図３】
0006311124.tif 000004
【図４】
0006311124.tif 000005
【図５】
0006311124.tif 000006
【図６】
0006311124.tif 000007
【図７】
0006311124.tif 000008
【図８】
0006311124.tif 000009
【図９】
0006311124.tif 000010
【図１０】
0006311124.tif 000011
【図１１】
0006311124.tif 000012